(57)【要約】      （修正有）【課題】スノーポールの視認性を高めるため、スノーポールに取り付けるスノーポール用キャップを提供する。【解決手段】円板状の表示板１２ａと、表示板の下方に位置し、下端が開放した円筒形のパイプによって形成された取付部１４と、表示板１２ａと取付部１４とを連結するための連結部１６とを備え、スノーポールの頂部に取付部の下端１４ｂを差し込むことによってスノーポールの頂部に取り付けられる。【選択図】図３
0003203491.tif 000002
【実用新案登録請求の範囲】
【請求項１】
スノーポールの頂部に取り付けられるスノーポール用キャップであって、
円板状の表示板と、
前記表示板の下方に位置し、下端が開放した円筒形のパイプによって形成された取付部と、
前記表示板と前記取付部とを連結するための連結部とを備え、
スノーポールの頂部に前記取付部の下端を差し込むことによってスノーポールの頂部に取り付けられることを特徴とするスノーポール用キャップ。
【請求項２】
前記表示板の一方の面及び／又は他方の面に高輝度反射シートが貼付されていることを特徴とする請求項１に記載されたスノーポール用キャップ。
【考案の詳細な説明】
【技術分野】
【０００１】
本考案は、スノーポールの頂部に取り付けられるスノーポール用キャップに関する。
【背景技術】
【０００２】
積雪地では降雪時期に道路の路側にスノーポールが設置される。スノーポールは一般的に、視認し易いように赤色と白色に交互に塗り分けられた棒状の道路標識柱であり、スノーポールを道路の路側に設置することにより、ドライバーや歩行者などに路肩や道路形を示し、不測の事故を未然に防ぐことを目的としている。
【考案の概要】
【考案が解決しようとする課題】
【０００３】
上述のように、スノーポールは積雪地においては必要不可欠なものであるが、スノーポール自体が細い棒状のものであるため、視認性が必ずしも十分であるとは言い難い。とりわけ、夜間や吹雪のとき等は、スノーポールの視認が極めて困難になることもあり、危険性が指摘されている。
【０００４】
本考案は、このような状況に鑑みて開発されたものであって、スノーポールの視認性を高めるため、スノーポールに取り付けるキャップを提供することを目的としている。
【課題を解決するための手段】
【０００５】
本願請求項１に記載されたスノーポール用キャップは、円板状の表示板と、前記表示板の下方に位置し、下端が開放した円筒形のパイプによって形成された取付部と、前記表示板と前記取付部とを連結するための連結部とを備え、スノーポールの頂部に前記取付部の下端を差し込むことによってスノーポールの頂部に取り付けられることを特徴とするものである。
【０００６】
本願請求項２に記載されたスノーポール用キャップは、前記請求項１のキャップにおいて、前記表示板の一方の面及び／又は他方の面に高輝度反射シートが貼付されていることを特徴とするものである。
【考案の効果】
【０００７】
本考案のスノーポール用キャップをスノーポールに取り付けることにより、スノーポールの視認性が高められ、夜間や吹雪のとき等の視界不良の際も、安全な通行や歩行を確保することができる。また、本考案のスノーポール用キャップは、既存のスノーポールに取り付けさえすれば使用できるので、特別なスノーポールを準備する必要はなく、既存のスノーポールの利用が可能である。したがって、低コストで通行や歩行の安全性を高めることができる。
【図面の簡単な説明】
【０００８】
【図１】本考案の好ましい実施の形態に係るスノーポール用キャップの斜視図である。
【図２】図１のスノーポール用キャップの正面図である。
【図３】図３（ａ）は図１のスノーポール用キャップの側面図、図３（ｂ）は図２の線３ｂ‐３ｂに沿って見た断面図、図３（ｃ）は図１のスノーポール用キャップの平面図、図３（ｄ）は図１のスノーポール用キャップの底面図である。
【図４】図１のスノーポール用キャップの取り付け形態を示した図であって、図４（ａ）は取り付け前の状態、図３（ｂ）はスノーポールの頂部への取り付け状態を示した図である。
【図５】図１のスノーポール用キャップの種々の利用形態を示した一連の図である。
【考案を実施するための形態】
【０００９】
次に、図面を参照して、本考案の好ましい実施の形態に係るスノーポール用キャップについて詳細に説明する。図１は、本考案の好ましい実施の形態に係るスノーポール用キャップを示した斜視図、図２は、図１のスノーポール用キャップの正面図（後述する高輝度反射シートが部分的に切り欠かれた状態で図示されている）である。図１において全体として参照符号１０で示される本考案の好ましい実施の形態に係るスノーポール用キャップは、表示部１２を備えている。
【００１０】
表示部１２は、円板状の表示板１２ａと、表示板１２ａの周縁全体に表示板１２ａの一方の面及び他方の面の方へ延びた突起１２ｂとを有している。
【００１１】
好ましくは、表示板１２ａの一方の面及び／又は他方の面には、視認性をより高めるため、高輝度反射シート１２ｃが貼付されている。高輝度反射シート１２ｃは、市販のものを使用してよい。
【００１２】
スノーポール用キャップ１０はまた、表示部１２の下方に位置し、スノーポール用キャップ１０をスノーポールに取り付けるための取付部１４を備えている。取付部１４は、上端１４ａが閉鎖し、下端１４ｂが開放した円筒形のパイプによって形成されている。取付部１４のパイプの内径は、スノーポールの外径よりも僅かに大きくなるように選定されている。
【００１３】
表示部１２と取付部１４は、連結部１６によって連結されており、連結部１６は、リブ１６ａによって補強されている。
【００１４】
表示部１２、取付部１４および連結部１６は、適当な公知の材料（たとえば、合成樹脂材料）で作られている。また、表示部１２、取付部１４および連結部１６は、一体に形成してもよく、別体に形成したものを接着等で一体に連結してもよい。
【００１５】
以上のように構成されたスノーポール用キャップ１０の使用態様について説明する。図４（ａ）は、スノーポール用キャップ１０の取り付け前の状態を示した図である。スノーポール用キャップ１０の使用に際しては、スノーポール用キャップ１０の取付部１４の下端１４ｂの開口をスノーポールの頂部に差し込むことによって、スノーポールにスノーポール用キャップ１０を取り付けて使用する。
【００１６】
以上の実施の形態では、スノーポール用キャップ１０がスノーポールの頂部に取り付けられているが、図５に示されるように、スノーポール用キャップ１０をクッションドラムやコーン、単管などに取り付けてもよい。
【００１７】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１８】
例えば、図示されている表示部１２の厚さや細部形状、表示部１２と取付部１４の寸法比率、連結部１６の細部形状などは、例示的なものにすぎず、視認性を高めるという本考案の目的に合致するのであれば、図示されているものと異なる形状などを採用してもよい。
【符号の説明】
【００１９】
１０  スノーポール用キャップ
１２  表示部
１２ａ  表示板
１２ｂ  突起
１２ｃ  高輝度反射シート
１４  取付部
１４ａ  上端
１４ｂ  下端
１６  連結部
１６ａ  リブ
【図１】
0003203491.tif 000003
【図２】
0003203491.tif 000004
【図３】
0003203491.tif 000005
【図４】
0003203491.tif 000006
【図５】
0003203491.tif 000007